(57)【特許請求の範囲】
【請求項１】
互いに対向する第１面と第２面とを有すると共に、前記第１面の略全域が露出して配置され、かつ第１の方向に沿って円弧状に曲げられた湾曲形状を成す透明板と、
液晶パネルと、前記液晶パネルへ向けて光を照射する光源部とを含み、かつ前記透明板の前記第２面の側に、前記湾曲形状に倣って貼り合わせられた表示体と、
前記表示体の外縁部に前記第１の方向に沿って設けられると共に、前記湾曲形状を保持する第１の枠部材と、
前記表示体の前記液晶パネルの周縁部に貼り合わせられ、前記液晶パネルを支持する第２の枠部材と
を備え、
前記第１の枠部材は、前記第２の枠部材にねじにより固着されている
表示装置。
【請求項２】
前記第２の枠部材は、それぞれが、前記液晶パネルに貼り合わせられた面と前記第１の枠部材に固着された面とを有すると共に、互いに間隔をおいて配置された複数のＬ字状の部位を有する
請求項１に記載の表示装置。
【請求項３】
前記表示体の外縁部に、前記光源部を前記液晶パネルに固定するための第３の枠部材を更に備えた
請求項１または請求項２に記載の表示装置。
【請求項４】
前記液晶パネルと前記透明板との間に、微粒子を含む接着層を有する
請求項１ないし請求項３のうちいずれか１項に記載の表示装置。
【請求項５】
前記接着層は、前記液晶パネルの周縁部のうち前記第１の方向に直交する第２の方向に沿った領域に、前記微粒子を含む
請求項４に記載の表示装置。
【請求項６】
前記第１の枠部材は、前記表示体に対向する面の形状が弓状に加工されたものである
請求項１ないし請求項５のうちいずれか１項に記載の表示装置。
【請求項７】
互いに対向する第１面と第２面とを有すると共に、前記第１面の略全域が露出して配置され、かつ第１の方向に沿って円弧状に曲げられた湾曲形状を成すと共に、前記第１の方向を長辺方向とする矩形状の面形状を有する透明板と、
前記透明板の前記第２面の側に、前記湾曲形状に倣って貼り合わせられた表示体と、
前記透明板の前記矩形状の各短辺に沿った領域に設けられたスピーカと
を備え、
前記スピーカは、
スピーカユニットと、
振動板と、
前記振動板を支持すると共に、縁部が表示側と反対の側に向けて立ち上げられた板部材と、
前記板部材よりも表示側に取り付けられ、前記振動板を取り囲むように形成された逆円錐台形状の傾斜面を含む飾り部材と
を有する
表示装置。
【請求項８】
前記スピーカは、４チャンネルサラウンドスピーカである
請求項７に記載の表示装置。
【請求項９】
前記透明板はガラスにより構成されている
請求項１ないし請求項８のうちいずれか１項に記載の表示装置。
【請求項１０】
前記湾曲形状は、前記第１面が凹となるように曲げられたものである
請求項１ないし請求項９のうちいずれか１項に記載の表示装置。
【発明の詳細な説明】
【技術分野】
【０００１】  本開示は、例えば大型テレビジョン装置に好適な表示装置に関する。
【背景技術】
【０００２】  表示装置の画面は一般に平面とされているが、円弧状に湾曲変形させたものも提案されている（例えば、特許文献１，２）。
【先行技術文献】
【特許文献】
【０００３】
【特許文献１】特開２００５−３３１８７２号公報
【特許文献２】特開２００９−２０１６８号公報
【発明の概要】
【０００４】  しかしながら、上記のような表示装置では、前面（表示側の面）の周縁部がフレーム等の部材で覆われており、意匠性の点において改善の余地があった。
【０００５】  したがって、意匠性が高く、かつ臨場感あふれる映像表示を実現することが可能な表示装置を提供することが望まれている。
【０００６】
本開示の一実施の形態の表示装置（１）は、互いに対向する第１面と第２面とを有すると共に、第１面の略全域が露出して配置され、かつ第１の方向に沿って円弧状に曲げられた湾曲形状を成す透明板と、液晶パネルと、液晶パネルへ向けて光を照射する光源部とを含み、かつ透明板の第２面の側に、湾曲形状に倣って貼り合わせられた表示体と、表示体の外縁部に第１の方向に沿って設けられると共に、湾曲形状を保持する第１の枠部材と、表示体の液晶パネルの周縁部に貼り合わせられ、液晶パネルを支持する第２の枠部材とを備え、第１の枠部材は、第２の枠部材にねじにより固着されているものである。
本開示の一実施の形態の表示装置（２）は、互いに対向する第１面と第２面とを有すると共に、第１面の略全域が露出して配置され、かつ第１の方向に沿って円弧状に曲げられた湾曲形状を成すと共に、第１の方向を長辺方向とする矩形状の面形状を有する透明板と、透明板の第２面の側に、湾曲形状に倣って貼り合わせられた表示体と、透明板の矩形状の各短辺に沿った領域に設けられたスピーカとを備え、スピーカは、スピーカユニットと、振動板と、振動板を支持すると共に、縁部が表示側と反対の側に向けて立ち上げられた板部材と、板部材よりも表示側に取り付けられ、振動板を取り囲むように形成された逆円錐台形状の傾斜面を含む飾り部材とを有するものである。
【０００７】  本開示の一実施の形態の表示装置では、第１の方向に沿って円弧状に曲げられた湾曲形状を成す透明板の第２面の側に、表示体がその湾曲形状に倣って貼り合わせられている。このような湾曲形状により、ユーザによる一体感および没入感を高めることができる。透明板の第１面の略全域が露出して配置されることで、透明板の周縁部がいわゆるベゼルなどの枠状の部材で覆われているものに比べ、意匠性が高まる。
【０００８】  本開示の一実施の形態の表示装置によれば、第１の方向に沿って円弧状に曲げられた湾曲形状を成す透明板の第１面の略全域が表示側に露出して配置されると共に、第２面の側に表示体がその湾曲形状に倣って貼り合わせられている。これにより、意匠性が高く、臨場感あふれる映像表示を実現することが可能となる。
【０００９】  なお、上記内容は本開示の一例である。本開示の効果は、上述したものに限らず、他の異なる効果であってもよいし、更に他の効果を含んでいてもよい。
【図面の簡単な説明】
【００１０】
【図１】本開示の実施の形態に係る表示装置の外観を表す斜視図である。
【図２】図１に示した表示装置の要部構成を表す分解斜視図である。
【図３Ａ】図１に示した表示装置の周縁部付近の構成を表す要部断面図である。
【図３Ｂ】図３Ａに示した周縁部付近の構成を矢印Ｅ１の向きに沿って見た構成を表す側面図である。
【図４】弓状の枠部材の一例を表す上面図である。
【図５】湾曲形状による視覚効果を説明するための模式図である。
【図６Ａ】図１に示した表示装置から外装部材を取り外して背面側から見た構成の一例を表す背面図である。
【図６Ｂ】図６Ａに示した板部材および枠部材を背面側から見た構成の一例を表す斜視図である。
【図７Ａ】図１に示した表示装置の組み立て方法を説明するための断面模式図である。
【図７Ｂ】図７Ａに続く工程を説明するための断面模式図である。
【図７Ｃ】図７Ｂに続く工程を説明するための断面模式図である。
【図８Ａ】図７Ｃに続く工程を説明するための断面模式図である。
【図８Ｂ】図８Ａに続く工程を説明するための断面模式図である。
【図９Ａ】本体部の構成と共にスピーカ要素付近の拡大構成を表した図である。
【図９Ｂ】図９Ａに示したスピーカ要素の内部構成を説明するための要部断面図である。
【図９Ｃ】図９Ａに示したスピーカ要素の外観を表す斜視図である。
【図１０】飾り部品の構成を表す斜視図である。
【図１１Ａ】比較例１に係るスピーカ要素の板部材の構成を説明するための斜視図である。
【図１１Ｂ】比較例１に係るスピーカ要素の板部材の構成を説明するための斜視図である。
【図１２Ａ】図９Ａに示したスピーカ要素の板部材の構成を説明するための斜視図である。
【図１２Ｂ】図９Ａに示したスピーカ要素の板部材の構成を説明するための斜視図である。
【図１３】比較例２に係る表示装置の周縁部の構成を表す断面図である。
【図１４】図１３に示した表示装置の作用を説明するための模式図である。
【図１５】図１に示した表示装置の作用を説明するための模式図である。
【図１６】変形例に係る表示装置の構成を表す斜視図である。
【図１７Ａ】図１６に示した表示装置の使用状態の一例を表す側面図である。
【図１７Ｂ】図１６に示した表示装置の使用状態の他の例を表す側面図である。
【発明を実施するための形態】
【００１１】  以下、本開示の実施の形態について図面を参照して詳細に説明する。なお、説明は以下の順序で行う。１．実施の形態（ベゼルレスの前面板に表示体が貼り合わせられ、湾曲形状を成す表示装置の例）２．変形例（壁掛けタイプの例）
【００１２】  図１は、本開示の一実施の形態に係る表示装置を正面から見た外観を表したものである。図２は、この表示装置１の要部の分解斜視構成を表したものである。この表示装置１は、例えば中型から大型のテレビジョン装置として好適に用いられるものであり、画像表示のための平板状の本体部１０をスタンド２０により支持した構成を有している。なお、ここでは、表示装置１が、スタンド２０を本体部１０に取り付けた状態で、床，棚または台などの面に載置され、据置型として用いられる場合を例に挙げて説明する。但し、後述するように、表示装置１は、スタンド２０を本体部１０から取り外した状態で壁掛型として用いることも可能である。
【００１３】  本明細書において、本体部１０の前後方向をＺ方向、本体部１０の主面（各面のうちの相対的に広い面）において左右方向をＸ方向、上下方向をＹ方向という。
【００１４】  本体部１０は、例えば最も正面側（表示側，前方）に前面板１１を有する。この前面板１１の背面側（後方）に、例えば液晶パネル１２、枠部材（フレーム）１３Ａ，１３Ｂ，１４，１５、光源部１６およびスピーカ１７が配置されている。なお、図示はしないが、この本体部１０の背面は、例えば後部外装部材（リアカバー）により覆われている。
【００１５】  図３Ａは、本体部１０のＹＺ断面構成を表したものである。本体部１０では、前面板１１の背面側に、液晶パネル１２が接着層１９Ａを介して固着されている（貼り合わせられている）。液晶パネル１２の周縁部には、接着層１９Ｂを介して枠部材１３Ａ（第２の枠部材）が固着されている。この枠部材１３Ａに、枠部材１４（第１の枠部材）が、例えばねじ止めにより固着されている。これらの枠部材１３Ａ，１４によって囲まれた空間に、光源部１６が組み付けられている。この光源部１６は、枠部材１８（第３の枠部材）にねじ止めされ、枠部材１３Ａと嵌合することにより、本体部１０に固定されている。以下、各部の具体的な構成について述べる。なお、ここでは、枠部材１８は、図２に示した枠部材１５とは別部材として設けられている。但し、これらの枠部材１８と枠部材１５とは、同一の部材により構成されていてもよい（枠部材１５が枠部材１８を兼ねていてもよい）。
【００１６】  前面板１１は、例えばガラスまたはプラスチックなどの透明板から構成されている。この前面板１１の対向する２つの主面（第１面Ｓ１，第２面Ｓ２）の面形状（ＸＹ平面形状）は、例えば矩形状である。本実施の形態では、前面板１１の正面側の第１面Ｓ１の略全域が露出しており、第１面Ｓ１の周縁部（前面周縁部）がいわゆるベゼルやシャーシなどによって覆われていない。また、前面板１１は、正面から見て、液晶パネル１２の左右端に張り出した領域（領域１１ａ）を有している。この領域１１ａに対応してスピーカ１７が配置されている。前面板１１の領域１１ａには、各スピーカ要素１７ａに対応して円形開口が設けられている。
【００１７】  液晶パネル１２は、例えば２枚のガラス基板の間に液晶層（図示せず）を封止したものであり、その光入射側と光出射側の各面には偏光板が貼り合わせられている。これらの液晶パネル１２の主要な構成要素は、いずれもガラスまたは樹脂よりなる薄い板状またはシート状の可撓性部材により構成されている。従って、液晶パネル１２は全体として可撓性を有している。なお、ここでは、表示体１２０が液晶パネル１２および光源部１６を含む場合を例に挙げるが、表示体１２０は、これに限らず、他の表示機能を持った素子、例えば有機電界発光素子を含むパネルから構成されていてもよい。
【００１８】  光源部１６は、液晶パネル１２を照明するバックライトユニットである。この光源部１６は、例えばＬＥＤ光源、導光板、反射部材および光学シートを含んで構成されている。光学シートとしては、例えば、拡散板，拡散シート，レンズフィルム，偏光分離シートなどが挙げられる。導光板は、例えばＬＥＤ（Light Emitting Diode；発光ダイオード）または半導体レーザなどからなる光源からの光を液晶パネル１２側へと導くものであり、例えば、ポリカーボネート（ＰＣ）樹脂またはアクリル（例えば、ＰＭＭＡ（ポリメチルメタクリレート））樹脂などの透明熱可塑性樹脂を主に含んで構成されている。反射部材は、例えば導光板の裏側へ出射してきた光を導光板へ戻すものであり、発泡ＰＥＴ（ポリエチレンテレフタレート），銀蒸着フィルム，多層膜反射フィルム，または白色ＰＥＴなどの板状またはシート状部材である。なお、この光源部１６の後ろには、後述する板部材４０が設けられる。
【００１９】  枠部材１３Ａ，１３Ｂ，１４，１５，１８は、いずれも、表示体１２０の周縁部または外縁部に固着される金属製のフレームまたはブラケットである。但し、枠部材１５は、樹脂製であっても構わない。
【００２０】  枠部材１３Ａは、例えば液晶パネル１２を固定、支持するブラケットとして機能するものであり、液晶パネル１２の矩形状の４辺のそれぞれを覆うように配置されている。この枠部材１３Ａでは、例えば図３Ｂに示したように、液晶パネル１２に貼り合わせられる面と枠部材１４に固着される面とを有する部位（Ｌ字状に折り曲げられた部位１３ａ１）が、複数、間隔をおいて配置されている。換言すると、枠部材１３Ａは、所定の間隔をおいて複数の切り欠きを有している。このような構成により、後述の湾曲形状に柔軟に追従することができる。
【００２１】  枠部材１３Ｂは、例えばスピーカ１７を支持するブラケットとして機能するものである。この枠部材１３Ｂは、例えば、液晶パネル１２の矩形状の２つの短辺に沿って（液晶パネル１２の左右端に）設けられており、スピーカ１７の各要素１７ａに対応して、例えば円形開口を有している。枠部材１８は、光源部１６を液晶パネル１２に固定するための部材であり、光源部１６にねじ止めされている（図３Ａ中のＢ２）。
【００２２】  枠部材１４は、例えば上記の枠部材１３Ａ，１８を介して、液晶パネル１２および光源部１６に固着されると共に、表示体１２０の外縁部に、その長辺に沿って（Ｘ方向に沿って）延在して設けられている。換言すると、枠部材１４は、表示体１２０を、その上側および下側のそれぞれから挟むように設けられている。この枠部材１４は、例えば、表示体１２０に対向する面の形状（ＸＺ平面形状）が例えば弓形状（弓状）に加工されたものである。図４に、枠部材１４のＸＺ平面形状の一例を示す。このように、枠部材１４は緩やかにカーブする弓形状を有している。詳細は後述するが、この枠部材１４の弓形状に倣って、表示体１２０および前面板１１における湾曲形状が形成、保持される。なお、枠部材１４の弓形状の曲率は全域において一定であってもよいし、中央部と左右端において異なっていても構わない。
【００２３】  接着層１９Ａは、例えばＵＶ硬化性の樹脂などを含んで構成されている。接着層１９Ａのうちの選択的な部分、具体的には液晶パネル１２の周縁部には、接着層１９Ａの厚みと略同一の直径を有するビーズなどの微小粒子を含むことが望ましい。特に、液晶パネル１２の左右の辺に沿った領域（Ｙ方向に沿った領域）に、そのような微小粒子を含むとよい。接着層１９Ａの厚みが局所的に薄くなることを抑制できるためである。湾曲形状により、液晶パネル１２の周縁部には応力が集中し易いことから、接着剤の厚みを確保し、剥離が発生することを防ぐことができる。
【００２４】  接着層１９Ｂは、粘着剤あるいは接着剤を含んで構成されている。この接着層１９Ｂは、柔軟性をもつことが望ましい。外部から液晶パネル１２へのストレスの伝播を低減し、表示むらの発生を抑制できるためである。
【００２５】  本実施の形態では、図１に示したように、本体部１０の少なくとも正面側が湾曲した形状を有する。具体的には、前面板１１が、例えばＸ方向（第１の方向）に沿って、円弧状に曲げられた湾曲形状を成し、この前面板１１の背面側（第２面Ｓ２の側）に、表示体１２０の液晶パネル１２が、その湾曲形状に倣って貼り合わせられている。これらの前面板１１および表示体１２０が成す湾曲形状は、第１面Ｓ１が正面側に凹（第２面Ｓ２が背面側に凸）となるように曲げられた形状である。この湾曲形状は、枠部材１４によって形成、保持されている。換言すると、前面板１１および表示体１２０の湾曲形状は、枠部材１４の弓形状の円弧形状に倣ったものである。これにより、例えば図５に示したように、表示装置１を前方正面から見たときにおいて、表示画面１１０Ａの上下方向の幅が、中央部から左右端に向かってゆるやかに拡がるので、遠近法の視覚効果により一体感・没入感を生み出すことが可能となる。
【００２６】  また、この湾曲形状は、Ｙ方向においては一様であることが好ましい。Ｙ方向において曲率が変化している場合に比べ、液晶パネル１２に局所的にひねりが入りにくく、液晶パネル１２の損傷および表示不良の発生を抑制できるためである。
【００２７】  スタンド２０は、例えば、本体部１０の左右の下部に設けられていることが好ましい。その理由は以下の通りである。液晶パネル１２が後方に凸に湾曲している場合には、本体部１０の重心の位置に対して、左右端の位置が前方に来るため、スタンド２０が本体部１０によって隠され、液晶パネル１２が平坦な場合に比べて、スタンド２０の本体部１０の前方へのはみ出しを目立たなくさせることが可能となる。また、後述するように本体部１０の左右端にはスピーカが配置されているので、本体部１０の左右の下部に敷設されたスタンド２０によって、スピーカを確実に支持することが可能となる。
【００２８】  なお、スタンド２０は、本体部１０の左右の下部に限らず、本体部１０の中央の下部に設けることも可能である。また、液晶パネル１２の湾曲が強い場合等には、本体部１０をスタンド２０なしで自立させるようにすることも可能である。スタンド２０の位置、個数および形状などは特に限定されるものではない。
【００２９】  図６Ａは、図１に示した表示装置１から、外装部材を取り外して、背面側から見た構成を表したものである。図６Ｂは、板部材４０および枠部材５０を背面側から見た斜視構成を表したものである。このように、本体部１０では、表示体１２０の更に背面側に、補強用の板部材４０および枠部材５０が配置されている。これらの板部材４０および枠部材５０も、上記の表示体１２０の湾曲形状に倣って成形されている。なお、これらの板部材４０および枠部材５０の構成は一例である。このような補強用の部材が設けられていてもよいし、設けられていなくともよい。また、板部材４０のみが設けられ、枠部材５０は設けられていない構成であってもよい。
【００３０】  板部材４０は、金属または樹脂よりなる可撓性の板により構成されている。この板部材４０の背面に、一方向（例えばＸ方向）に延在して、複数（ここでは３つ）の枠部材５０が設けられている。板部材４０には、枠部材５０を固定するためのボス（図示せず）が設けられている。枠部材５０には、上記のボスに対応してねじ孔５４が設けられると共に、必要に応じて、壁掛けブラケット（後述）取り付けのためのＶＥＳＡ（Video Electronics Standard Association）穴５５が設けられている。
【００３１】  この板部材４０の背面には、ソース基板，タイミングコントローラ基板，バックライト光源を制御するバランサー基板などの基板類６０が実装されている（図６Ａ）。また、液晶パネル１２の左右端に対応する領域には、スピーカ１７が配置されている。スピーカ１７を本体部１０の左右端に配置することにより、映像と音とが視覚的に分離なく一体化し、上述した湾曲形状による遠近法の視覚効果と相俟って、一体感・没入感を強めることが可能となる。
【００３２】  スピーカ１７は、液晶パネル１２の左右と板部材４０の背後に張り出すように配置されることが好ましい。これによりスピーカ１７の容量を確保し、出力増大や音質向上が可能となる。このスピーカ１７は、図１に示したように、複数のスピーカ要素１７ａから構成されたスピーカボックス（スピーカシステム）であり、例えば４チャンネルサラウンドスピーカにより構成されていることが望ましい。上記の湾曲形状による視覚的効果と、前後左右に拡がる音響とによって、一体感・没入感を更に強めることができるためである。このスピーカ１７の具体的な構成については後述する。
【００３３】（組み立て方法）  この表示装置１における前面板１１および表示体１２０の湾曲形状は、例えば、次のようにして形成することができる。図７Ａ〜図８Ｂは、表示装置１の組み立て方法について説明するための断面模式図である。
【００３４】  まず、ガラスなどよりなる前面板１１と、液晶パネル１２とを用意する。そして、図７Ａに示したように、前面板１１の第２面Ｓ２の所定の領域に、接着層１９Ａを介して液晶パネル１２を貼り合わせる。
【００３５】  続いて、図７Ｂに示したように、液晶パネル１２の周縁部に、枠部材１３Ａと枠部材１３Ｂとを、接着層１９Ｂを介して貼り合わせる。このように、液晶パネル１２の枠部材１３Ａへの固定は、曲げる前の状態（平坦な状態）で行うことができる。
【００３６】  この後、図７Ｃに示したように、枠部材１３Ａに、弓形状に加工された枠部材１４を、例えばねじ打ち（図７Ｃ中の矢印Ｂ１）により固着させる。これにより、Ｘ方向に沿って、前面板１１および液晶パネル１２が枠部材１４の弓形状に倣って円弧状に曲げられ、湾曲形状に保持される。
【００３７】
次に、図８Ａに示したように、液晶パネル１２の背面側の、枠部材１３Ａ，１４によって取り囲まれた空間に、バックライトユニットとしての光源部１６を組み付ける。続いて、図８Ｂに示したように、枠部材１８を光源部１６にねじ打ち（図８Ｂ中の矢印Ｂ２）すると共に、枠部材１３Ａ，１４に嵌合させることで、光源部１６を液晶パネル１２の背面側に固定する。また、これにより、光源部１６も液晶パネル１２の湾曲形状に倣って円弧状に曲げられた状態で固定される。このようにして、前面板１１と表示体１２０とが湾曲形状を成して一体形成される。なお、光源部１６の背面側には、上述した板部材４０などの補強用部材が取り付けられてもよい。
【００３８】  その後、光源部１６の背面側に、板部材４０などを介してスピーカ１７と基板類６０とを実装する。これにより、本体部１０を作製することができる。最後に、図示しない後部外装部材により、本体部１０の背面を被覆し、本体部１０の左右の下部にスタンド２０を取り付ける。以上により、図１に示した表示装置１が完成する。
【００３９】（スピーカの詳細構成）  図９Ａは、本体部１０の正面側の外観と共に、スピーカ要素１７ａの拡大構成を示したものである。このように、スピーカ要素１７ａは、前面板１１の開口部分に対向して、例えば振動板１７ａ１と、飾り部品１７ａ２とを有している。即ち、スピーカ要素１７ａのうち、振動板１７ａ１と飾り部品１７ａ２とは、意匠を構成する要素となっている。
【００４０】  図９Ｂは、スピーカ要素１７ａの内部構造を説明するための要部断面図である。図９Ｃは、スピーカ要素１７ａの外観を表す斜視図である。図１０は飾り部品１７ａ２の一例を示すものである。スピーカ要素１７ａは、音発生源を含むスピーカユニット１７ａ５を搭載し、飾り部品１７ａ２を挟むようにして前面板１１に固定、支持されている。
【００４１】  飾り部品１７ａ２は、振動板１７ａ１を取り囲むように形成された逆円錐台形状の傾斜面を含む部品である。この飾り部品１７ａ２の傾斜面では、正面からみた幅をｄ１，高さをｄ２，傾斜角をθとした場合に、意匠性の観点から、幅ｄ１を最小化することが望まれている。
【００４２】  板部材１７ａ４は、例えば平板状の板金である。この板部材１７ａ４では、補強のために絞り加工が施されている。換言すると、板部材１７ａ４は、全体として凹形状に成形されており、その縁（縁１７０）が一方の面側に立ち上げられている。
【００４３】  ここで、一般的には、図１１Ａおよび図１１Ｂに示したように、振動板１７ａ１およびスピーカユニット１７ａ５を支持する板部材１０１の縁（縁１０１ａ）は、Ｚ方向前方（正面側，表示側）に立ち上げられている。このような板部材１０１の前方に、上記の飾り部品１７ａ２を取り付けた場合、縁１０１ａの高さ分のスペースを確保するため、板部材１０１と飾り部品１７ａ２との間隙が大きくなり易い。この結果、飾り部品１７ａ２の傾斜面によって音が蹴られ易くなってしまう。
【００４４】  一方で、飾り部品１７ａ２の高さｄ２は、前面板１１から板部材１７ａ４までの構造上の厚みに依存する。このため、意匠性を追求して幅ｄ１を狭めた場合、高さｄ２に制約があることから、結果として傾斜角θが大きくなり（傾斜面が急峻となり）、音が蹴られて拡がりにくくなってしまう。
【００４５】  本実施の形態では、図１２Ａおよび図１２Ｂに示したように、板部材１７ａ４の縁１７０が、Ｚ方向後方（背面側，表示側と反対側）に立ち上げられている。このため、板部材１７ａ４の前方に、上記の飾り部品１７ａ２を取り付けた場合、板部材１７ａ４と飾り部品１７ａ２との間に縁１７０のスペースを確保する必要がない。即ち、板部材１７ａ４と飾り部品１７ａ２との間隙を狭めることができ、これにより、飾り部品１７ａ２の傾斜面において音が拡がり易くなる。また、間隙の狭小化によって、飾り部品１７ａ２の傾斜角θの自由度が高まる。結果として、音の蹴られを抑制しつつ幅ｄ１を狭めることができ、意匠性向上に有利となる。加えて、傾斜角θの自由度が高まることから、前面板１１の湾曲面に対しても、傾斜角θおよび幅ｄ１を所望の値に調整しつつ、スピーカ要素１７ａを設置することが可能となる。このように、スピーカ設計の自由度が高まることから、例えば音響への影響を抑えつつ、意匠性を高めることができる。
【００４６】  上記のような表示装置１では、前面板１１が、一の方向（Ｘ方向）に沿って円弧状に曲げられた湾曲形状を成している。この前面板１１の背面側（第２面Ｓ２の側）に、その湾曲形状に倣って表示体１２０が貼り合わせられている。このような構成において、光源部１６からの光が液晶パネル１２を透過することにより、所定の画像表示が行われる。上記の湾曲形状に起因して、図５に示したように、前方正面からみた表示画面１１０Ａの幅が、中央部から左右端に向かってゆるやかに拡がるので、遠近法の視覚効果により一体感・没入感が生まれ、臨場感あふれる映像表示を実現可能となる。
【００４７】  また、本実施の形態では、前面板１１が、第１面Ｓ１の略全域が露出して配置されている。即ち、表示装置１の前面周縁部が、ベゼルなどの枠状の部材により覆われていない。これにより、意匠性が向上する。
【００４８】  加えて、弓形状に加工された枠部材１４を用いて、表示体１２０および前面板１１の湾曲形状が成形、支持されることで、所望の湾曲形状を保持し易くなると共に、表示体１２０と前面板１１との剥がれなどを抑制することができる。
【００４９】  ここで、図１３に、比較例として、前面板１１の第２面Ｓ２の側に表示体１２０を貼り合わせた構造の一例として、前面板１１の周縁部に直に枠部材１０３（板金）を接着して、固定した場合の要部構成について示す。このように、前面板１１に枠部材１０３を固着させた場合、図１４に模式的に示したように、前面板１１の両端で湾曲形状（曲率）が固定されることから、液晶パネル１２の両端に、曲げ方向と逆向きに力（図１４中の矢印Ｘ１）がかかり易い（液晶パネル１２が平坦な形状に戻ろうとする）。この結果、液晶パネル１２が前面板１１から剥がれ易くなる。
【００５０】
これに対し、本実施の形態では、弓形状の枠部材１４が液晶パネル１２の周縁部に枠部材１３Ａを介して固着される（図３Ａ）ことから、図１５に模式的に示したように、液晶パネル１２の周縁部において湾曲形状（曲率）が固定される。このため、前面板１１の両端に、曲げ方向と逆向きに力（図１５中の矢印Ｘ２）がかかり易い（前面板１１が平坦な形状に戻ろうとする）。つまり、本実施の形態では、前面板１１と液晶パネル１２とが互いに向き合う方向により力がかかり易い。この結果、液晶パネル１２が前面板１１から剥がれにくくなる。
【００５１】  また、液晶パネル１２の左右にスピーカ１７が配置されているので、映像と音とが視覚的に分離なく一体化し、上述した液晶パネル１２の湾曲形状による視覚効果と相俟って、一体感・没入感を更に強めることができる。特に、本実施の形態では、図１２Ａおよび図１２Ｂに示したように、板部材１７ａ４の縁１７０が、Ｚ方向後方（背面側，表示側と反対側）に立ち上げられている。これにより、板部材１７ａ４と飾り部品１７ａ２との間隙を狭めることができ、スピーカ設計の自由度を高めることができる。また、前面板１１の湾曲した面にも設置し易くなる。
【００５２】  このように本実施の形態では、一の方向に沿って円弧状に曲げられた湾曲形状を成す前面板１１の第１面Ｓ１の略全域が表示側に露出して配置されると共に、第２面Ｓ２の側に表示体１２０がその湾曲形状に倣って貼り合わせられている。これにより、意匠性が高く、臨場感あふれる映像表示を実現することが可能となる。
【００５３】＜変形例＞  次に、上記実施の形態の表示装置１の変形例について説明する。以下では、上記実施の形態と同様の構成要素については同一の符号を付し、適宜説明を省略する。
【００５４】  上記実施の形態では、表示装置１が、台等の上に載置された状態で使用される据置型のもの（スタンド２０を有するもの）を例に挙げて説明したが、表示装置１は、本変形例のように、壁などに固定した状態で使用されてもよい。図１６に、壁掛型の表示装置の一例を示す。図１７Ａおよび図１７Ｂは、本体部１０を壁Ｓ３に取り付けた状態の側面図である。このように、本変形例では、スタンド２０の代わりに、本体部１０の背面側に固定具２１が取り付けられている（取り付け可能となっている）。
【００５５】  固定具２１は、例えば、本体部１０を固定、支持するブラケットとしての支持部材２１Ａと、壁に固定されるベースプレートとしての支持部材２１Ｂとを含んで構成されている。なお、ここで説明する固定具２１の構成は一例であり、この構成に限定される訳ではない。更に他の部材を有していてもよいし、各部材の形状が異なっていてもよい。
【００５６】  支持部材２１Ａ，２１Ｂは、例えば本体部１０の背面側の枠部材５０に設けられたＶＥＳＡ孔５５にねじにより固定されている。支持部材２１Ａは、例えばアーム２１ａ１を有しており、図１７Ａおよび図１７Ｂに示したように、このアーム２１ａ１を用いて、設置角度の段階的な調整が可能である。図１７Ａでは、アーム２１ａ１が折り畳まれており、壁面に対して略垂直に本体部１０が取り付けられている。図１７Ｂでは、アーム２１ａ１が拡げられ、壁面に対して傾斜した状態で本体部１０が取り付けられている。
【００５７】  以上、実施の形態および変形例を挙げて説明したが、本開示は上記実施の形態等に限定されるものではなく、種々の変形が可能である。例えば、上記実施の形態等では、前面板１１および表示体１２０が、Ｘ方向の全域にわたって湾曲している場合について説明したが、必ずしも全域にわたって湾曲していなくともよい。Ｘ方向の一部において湾曲（例えば中央部は平坦で、左右部は湾曲）していてもよい。また、湾曲部分の曲率は必ずしも一定である必要はなく、中央部から左右端に向けて曲率が変化するように構成されていてもよいし、局部的に曲率が異なっていてもよい。例えば、表示画面のアスペクト比や、対角サイズなどに応じて、適切な曲率が設定されることが望ましい。
【００５８】  また、上記実施の形態等では、表示体１２０として液晶パネル１２と光源部１６とを含むものを例示したが、本開示の表示体は、液晶パネルを用いたものに限定されず、他の表示機能を持つ構造体を用いたものであってもよい。例えば、液晶パネル１２および光源部１６に代えて有機ＥＬ（Electroluminescence）パネルが用いられても構わない。
【００５９】  更に、例えば、上記実施の形態において説明した各層の材料および厚みなどは限定されるものではなく、他の材料および厚みとしてもよい。
【００６０】  加えて、例えば、上記実施の形態において表示装置１（テレビジョン装置）の構成を具体的に挙げて説明したが、全ての構成要素を備える必要はなく、また、他の構成要素を更に備えていてもよい。
【００６１】  本開示は、上記実施の形態で説明したテレビジョン装置のほか、ＰＣ（Personal Computer）のモニター、パブリックディスプレイなど、外部から入力された映像信号あるいは内部で生成した映像信号を、画像あるいは映像として表示するあらゆる分野の電子機器に広く適用することが可能である。
【００６２】  なお、上記実施の形態等において説明した効果は一例であり、他の効果であってもよいし、更に他の効果を含んでいてもよい。
【００６３】
また、本開示は以下のような構成を取ることも可能である。
（１）
互いに対向する第１面と第２面とを有すると共に、前記第１面の略全域が露出して配置され、かつ第１の方向に沿って円弧状に曲げられた湾曲形状を成す透明板と、
前記透明板の前記第２面の側に、前記湾曲形状に倣って貼り合わせられた表示体と
を備えた表示装置。
（２）
前記表示体の外縁部に前記第１の方向に沿って設けられると共に、前記湾曲形状を保持する第１の枠部材を更に備えた
上記（１）に記載の表示装置。
（３）
前記第１の枠部材は、前記表示体に対向する面の形状が弓状に加工されたものである
上記（２）に記載の表示装置。
（４）
前記表示体は、液晶パネルと、前記液晶パネルへ向けて光を照射する光源部とを有し、
前記表示体の前記液晶パネルの周縁部に貼り合わせられ、前記液晶パネルを支持する第２の枠部材を更に備え、
前記第１の枠部材は、前記第２の枠部材にねじにより固着されている
上記（２）または（３）に記載の表示装置。
（５）
前記第２の枠部材は、それぞれが、前記液晶パネルに貼り合わせられた面と前記第１の枠部材に固着された面とを有すると共に、互いに間隔をおいて配置された複数のＬ字状の部位を有する
上記（４）に記載の表示装置。
（６）
前記表示体の外縁部に、前記光源部を前記液晶パネルに固定するための第３の枠部材を更に備えた
上記（４）または（５）に記載の表示装置。
（７）
前記液晶パネルと前記透明板との間に、微粒子を含む接着層を有する
上記（４）〜（６）のいずれかに記載の表示装置。
（８）
前記接着層は、前記液晶パネルの周縁部のうち前記第１の方向に直交する第２の方向に沿った領域に、前記微粒子を含む
上記（７）に記載の表示装置。
（９）
前記透明板の面形状は、前記第１の方向を長辺方向とする矩形状であり、
前記透明板の前記矩形状の各短辺に沿った領域に設けられたスピーカを更に備えた
上記（１）〜（８）のいずれかに記載の表示装置。
（１０）
前記スピーカは、４チャンネルサラウンドスピーカである
上記（９）に記載の表示装置。
（１１）
前記スピーカは、
スピーカユニットと、
振動板と、
前記振動板を支持すると共に、縁部が表示側と反対の側に向けて立ち上げられた板部材と、
前記板部材よりも表示側に取り付けられ、前記振動板を取り囲むように形成された逆円錐台形状の傾斜面を含む飾り部材と
を有する
上記（９）または（１０）に記載の表示装置。
（１２）
前記透明板はガラスにより構成されている
上記（１）〜（１１）のいずれかに記載の表示装置。
（１３）
前記湾曲形状は、前記第１面が凹となるように曲げられたものである
上記（１）〜（１２）のいずれかに記載の表示装置。
【００６４】  本出願は、日本国特許庁において２０１４年８月５日に出願された日本特許出願番号第２０１４−１５９５７４号を基礎として優先権を主張するものであり、この出願のすべての内容を参照によって本出願に援用する。
【００６５】  当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
0006597617.tif 000002
【図２】
0006597617.tif 000003
【図３Ａ】
0006597617.tif 000004
【図３Ｂ】
0006597617.tif 000005
【図４】
0006597617.tif 000006
【図５】
0006597617.tif 000007
【図６Ａ】
0006597617.tif 000008
【図６Ｂ】
0006597617.tif 000009
【図７Ａ】
0006597617.tif 000010
【図７Ｂ】
0006597617.tif 000011
【図７Ｃ】
0006597617.tif 000012
【図８Ａ】
0006597617.tif 000013
【図８Ｂ】
0006597617.tif 000014
【図９Ａ】
0006597617.tif 000015
【図９Ｂ】
0006597617.tif 000016
【図９Ｃ】
0006597617.tif 000017
【図１０】
0006597617.tif 000018
【図１１Ａ】
0006597617.tif 000019
【図１１Ｂ】
0006597617.tif 000020
【図１２Ａ】
0006597617.tif 000021
【図１２Ｂ】
0006597617.tif 000022
【図１３】
0006597617.tif 000023
【図１４】
0006597617.tif 000024
【図１５】
0006597617.tif 000025
【図１６】
0006597617.tif 000026
【図１７Ａ】
0006597617.tif 000027
【図１７Ｂ】
0006597617.tif 000028